(57)【要約】      （修正有）【課題】電話機の通話用にも、音楽再生機等の音声聴取用にも、一体構造のイヤフォン使用にも、別体のヘッドフォンの接続用にも共用でき、装着性や見栄えも良好な無線ヘッドセットを提供する。【解決手段】近距離無線方式の通信手段と、音声出力手段と、音声入力手段と、使用者の頭部に装着させる保持手段とを有し、無線通信により外部機器との間で音声信号の送受を行うヘッドセットにおいて、音声を出力するスピーカー１１を有し使用者の耳に装着させる耳装着部１５と、音声信号を外部出力する出力端子１４とを備え、耳装着部を装着しての音声聴取と、出力端子に接続する外部音声出力手段を介しての音声聴取とに共用可能とする。【選択図】図３
0003149659.tif 000002
【実用新案登録請求の範囲】
【請求項１】
近距離無線方式の通信手段と、音声出力手段と、音声入力手段と、使用者の頭部に装着させる保持手段とを有し、無線通信により外部機器との間で音声信号の送受を行うヘッドセットにおいて、
音声を出力するスピーカーを有し使用者の耳に装着させる耳装着部と、音声信号を外部出力する出力端子とを備え、
耳装着部を装着しての音声聴取と、出力端子に接続する外部音声出力手段を介しての音声聴取とに共用可能である
ことを特徴とする無線ヘッドセット。
【請求項２】
無線通信による電話機との接続によって、通話に使用可能である
請求項１に記載の無線ヘッドセット。
【請求項３】
出力端子が、モノラル音声信号及びステレオ音声信号を出力可能であり、
無線通信によるステレオ音声再生器との接続によって、ステレオ音声の聴取にも使用可能である
請求項１または２に記載の無線ヘッドセット。
【請求項４】
近距離無線方式の通信手段が、ブルートゥース規格に準拠した無線通信装置である
請求項１ないし３に記載の無線ヘッドセット。
【請求項５】
耳装着部が、本体に対して折り曲げ自在である
請求項１ないし４に記載の無線ヘッドセット。
【請求項６】
折り曲げを行わない場合の耳装着部を被覆収容するカバーを備え、
全体形状が略スティック状である
請求項１ないし５に記載の無線ヘッドセット。
【請求項７】
イヤフォンケーブル及び充電ケーブルの接続に共用可能な端子を備える
請求項１ないし６に記載の無線ヘッドセット。
【考案の詳細な説明】
【技術分野】
【０００１】
本考案は、無線通信により外部機器との間で音声信号の送受を行うヘッドセットに関する。
【背景技術】
【０００２】
車両運転中に携帯電話を使用することによる事故対策として、携帯電話を手で持たないで通話を行うハンズフリー装置が普及しつつある。例えば、イヤホンとマイクとが一体的に構成され、頭部に装着するヘッドセットが公知である。携帯電話の音声信号を、ブルートゥース（Bluetooth：登録商標）による無線通信でヘッドセットに送受信する装置も知られている。
【０００３】
他方、ブルートゥースによるヘッドセットは、ＭＰ３プレイヤーや携帯電話のような音楽再生機器にも利用されている。
【０００４】
このような近距離無線方式の通信を用いて、外部機器との間で音声信号の送受を行うヘッドセットの従来技術には、特許文献１〜９などがある。
【０００５】
【特許文献１】特開２００７−７４７２８「イヤホンを備えたブルートゥース無線ヘッドセット」
【特許文献２】特開２００６−８６７４８  「ヘッドセット装置」
【特許文献３】特開２００６−８６７４７  「ヘッドセット装置」
【特許文献４】特開２００６−８６７４６  「ヘッドセット装置」
【特許文献５】特開２００５−２７７９９５  「無線ヘッドセット装置」
【特許文献６】特開２００５−２６０９４４  「無線通信機能付きヘッドセット」
【特許文献７】特開２００５−２１７４５６  「ブルートゥース ・ヘッドセットおよびブルートゥース・ヘッドセットシステム」
【特許文献８】特開２００４−１４０７３１  「車載用ハンズフリー電話装置」
【特許文献９】特開２００４−１０４６８４  「二輪車用ワイヤレスヘッドセット装置」
【０００６】
例えば、特許文献１は、不使用時にはイヤホンを本体内に収納し、使用時にはイヤホンを本体から突出するヘッドセットを開示している。これによると、イヤホンの出没による利便はあるが、耳への装着性や見栄えの点で難がなくはない。
同様に従来技術のヘッドセットでは、耳への装着感や装着の安定性と、装着時の見栄えとの両立が困難であった。装着性や見栄えは、歩行時など日常での使用動機に影響する。
特に、従来技術のヘッドセットは、電話機の通話用のものや、音楽再生機のステレオ音声聴取用のものや、イヤフォンを一体的に備えた構造のものや、ステレオヘッドフォンを接続する構造のものなどが、別体に構成されているので、複数のヘッドセットが必要であり便利ではなかった。
【考案の開示】
【考案が解決しようとする課題】
【０００７】
そこで、本考案は、電話機の通話用にも、音楽再生機等の音声聴取用にも、一体構造のイヤフォン使用用にも、別体のヘッドフォンの接続用にも共用でき、しかも、装着性や見栄えも良好な無線ヘッドセットを提供することを課題とする。
【課題を解決するための手段】
【０００８】
上記課題を達成するため、本考案の無線ヘッドセットは、次の構成を備える。
すなわち、近距離無線方式の通信手段と、音声出力手段と、音声入力手段と、使用者の頭部に装着させる保持手段とを有し、無線通信により外部機器との間で音声信号の送受を行うヘッドセットにおいて、音声を出力するスピーカーを有し使用者の耳に装着させる耳装着部と、音声信号を外部出力する出力端子とを備え、耳装着部を装着しての音声聴取と、出力端子に接続する外部音声出力手段を介しての音声聴取とに共用可能であることを特徴とする。
【０００９】
ここで、無線通信による電話機との接続によって、通話に使用可能であるように構成してもよい。
【００１０】
また、出力端子を、モノラル音声信号及びステレオ音声信号を出力可能とし、無線通信によるステレオ音声再生器との接続によって、ステレオ音声の聴取にも使用可能であるように構成してもよい。
【００１１】
近距離無線方式の通信手段としては、ブルートゥース規格に準拠した無線通信装置が好適に使用できる。
【００１２】
耳装着部が、本体に対して折り曲げ自在とし、折り曲げての装着による利便性を高めてもよい。
【００１３】
折り曲げを行わない場合の耳装着部を被覆収容するカバーを設け、全体形状を略スティック状として、耳装着部の衛生管理や、不使用時における携帯所持に寄与させてもよい。
【００１４】
イヤフォンケーブル及び充電ケーブルの接続に共用可能な端子を設けて、構造の簡素化に寄与させてもよい。
【考案の効果】
【００１５】
本考案によると、電話機の通話用にも、音楽再生機等の音声聴取用にも使用でき、また、一体構造のイヤフォンを使用してもよいし、別体のヘッドフォンを接続して使用してもよく、様々な用途に共用でき、ヘッドセットの所持が単数ですむ。更に、装着性や見栄えも良好であり使用しやすく、不使用時には携帯便利な形状にもなる。
【考案を実施するための最良の形態】
【００１６】
以下に、本考案の実施形態を図面に基づいて説明する。
ここでは、近距離無線方式の通信手段として、ブルートゥース規格に準拠した無線通信装置を例示するが、同様の機能を有する無線通信装置にも適用可能である。また、その無線通信により音声信号の送受を行う外部機器として、携帯電話端末及び音楽再生機を例示するが、同様の機能を有する音声通話機及び音声再生機にも適用可能である。
【００１７】
図１〜３はそれぞれ、本考案による無線ヘッドセットの正面図、背面図、カバーを外した状態の背面図である。
無線ヘッドセットの外形は、緩曲面で囲まれた略スティック状であり、図３のように、本体部（１０）の上部にはカバー（２０）が設けられている。
【００１８】
本体部（１０）には、ブルートゥース規格に準拠した無線通信装置と、音声出力手段としてのスピーカー（１１）、音声入力手段としてのマイク（１２）、蓄電池、並びに、それらの制御装置が備わる。
【００１９】
蓄電池としては、リチウムイオン電池やニッカド電池や小形シール鉛畜電池など、充放電可能な２次電池を適宜利用できる。その充電状態は、ＬＥＤ等のランプ（１３）によって視認される。
蓄電池への充電は、入出力端子（１４）に充電ケーブルを接続することで行われる。その充電ケーブルの他端は、ＰＣのＵＳＢ端子に接続する形態や、自動車のシガレット出力端子に接続する形態や、家屋のＡＣ出力タップに接続する形態などが適宜使用できる。
更に、その入出力端子（１４）は、イヤフォンケーブルも接続できる共用タイプでもある。
【００２０】
図４は、使用状態を示す側面図である。
スピーカー（１１）を内装し、使用者の耳に嵌めるクッションを備える耳装着部（１５）は、本体に対して折り曲げ自在である。折り曲げ可能とする角度は適宜設定できるが、例えば、図示のように略直角に折り曲げて装着を良好にしてもよい。
折り曲げの機構としては、図３に示したように、本体部（１０）の上部には、略Ｕ字状の凹部（１０ａ）が備わり、そこに耳装着部（１５）が支軸（１６）によって回動自在に設置される。
このように折り曲げられた形状によって、耳への装着性と見栄えが高められる。
【００２１】
耳装着部（１５）を所定角度折り曲げた際には凹凸嵌合等により、その折り曲げ状態が保持される。また、その嵌合等の音によって、折り曲げ状態に変化したことが使用者に知らされる。
【００２２】
制御装置には、入出力端子（１４）に、イヤフォンケーブル等の外部音声出力手段を接続した場合には、音声信号を外部出力し、また、耳装着部（１５）を折り曲げた場合には、スピーカー（１１）に音声出力する音声調整出力部が備わる。
これにより、ステレオヘッドフォン等を外部接続しての利用や、一体構造のイヤフォンの利用にも対応できる。それに伴い、音楽再生機等の音声聴取にも、電話機の通話にも利用でき、広い用途が得られる。
【００２３】
なお、スイッチ（１７）は、押し込みによって一時停止や再生を切り替え、上下左右への傾斜によって音量や早送りや戻しを切り替える。
【００２４】
カバー（２０）の上端には、ストラップを係合させる孔（２１）が備わる。衣服等に取り付けるためのクリップ類を付設してもよい。
【産業上の利用可能性】
【００２５】
本考案の無線ヘッドセットは、電話機の通話用にも、音楽再生機等の音声聴取用にも使用でき、また、一体構造のイヤフォンを使用してもよいし、別体のヘッドフォンを接続して使用してもよく、様々な用途に共用でき、ヘッドセットの所持が単数ですみ便利である。装着性や見栄えも良好であり使用しやすく、不使用時には携帯便利な形状にもなるので、産業上利用価値が高い。
【図面の簡単な説明】
【００２６】
【図１】本考案による無線ヘッドセットの正面図
【図２】同、背面図
【図３】カバーを外した状態の背面図
【図４】耳装着部を折り曲げた使用状態を示す側面図
【符号の説明】
【００２７】
１０  本体部
１０ａ  凹部
１１  スピーカー
１２  マイク
１３  ランプ
１４  入出力端子
１５  耳装着部
１６  支軸
１７  スイッチ
２０  カバー
２１  ストラップ孔
【図１】
0003149659.tif 000003
【図２】
0003149659.tif 000004
【図３】
0003149659.tif 000005
【図４】
0003149659.tif 000006
【手続補正書】
【提出日】平成21年2月3日(2009.2.3)
【手続補正１】
【補正対象書類名】実用新案登録請求の範囲
【補正対象項目名】請求項４
【補正方法】変更
【補正の内容】
【請求項４】
近距離無線方式の通信手段が、ブルートゥース規格に準拠した無線通信装置である
請求項１ないし３のいずれか１項に記載の無線ヘッドセット。
【手続補正２】
【補正対象書類名】実用新案登録請求の範囲
【補正対象項目名】請求項５
【補正方法】変更
【補正の内容】
【請求項５】
耳装着部が、本体に対して折り曲げ自在である
請求項１ないし４のいずれか１項に記載の無線ヘッドセット。
【手続補正３】
【補正対象書類名】実用新案登録請求の範囲
【補正対象項目名】請求項６
【補正方法】変更
【補正の内容】
【請求項６】
折り曲げを行わない場合の耳装着部を被覆収容するカバーを備え、
全体形状が略スティック状である
請求項１ないし５のいずれか１項に記載の無線ヘッドセット。
【手続補正４】
【補正対象書類名】実用新案登録請求の範囲
【補正対象項目名】請求項７
【補正方法】変更
【補正の内容】
【請求項７】
イヤフォンケーブル及び充電ケーブルの接続に共用可能な端子を備える
請求項１ないし６のいずれか１項に記載の無線ヘッドセット。